(57)【特許請求の範囲】
【請求項１】
ケーブルタイ（１００）であって、
第一の端部と、自由端部（１１２）とを含むストラップ（１０４）と、
係止ヘッド（１０２）であって、該ヘッドに形成されて、係止ヘッド（１０２）を第一の部分及び第二の部分に分割するストラップ挿入通路（１２２）を有し、該ストラップ挿入通路（１２２）がストラップの入口端部（１６８）及びストラップの出口端部（１６６）を有し、係止ヘッド（１０２）の第一の部分がストラップの取り付け軸線に沿ってストラップ（１０４）の第一の端部に固着され、係止ヘッド（１０２）のストラップの出口端部（１６６）に隣接し且つ該出口端部に向けて開口した第二の部分に配置された係止装置の挿入キャビティ（１８０）を更に含む、前記係止ヘッド（１０２）と、
係止装置の挿入キャビティ（１８０）内に取り付けられた係止装置（１３６）であって、ストラップ挿入通路の軸線に対し鋭角な角度で角度が付けられ且つストラップ挿入通路（１２２）内に伸びる自由端部（１３８）を有する、前記係止装置（１３６）とを備えるケーブルタイにおいて、
ストラップ（１０４）の第一の端部は、実質的に直角の曲げ部分を備えて成形されており、ストラップの取り付け軸線は、ストラップ挿入通路の軸線に対し実質的に平行であり、
係止装置（１３６）は、ストラップ挿入通路の軸線に対し実質的に平行に方向決めされる固定端部を含み、
ストラップ挿入通路の軸線に対し実質的に平行な、係止ヘッド（１０２）の第二の部分の表面（１４６）には上方に伸びる突起が存在せず、第一の部分がストラップの厚さ以下若しくは同じ厚さを有する、ことを特徴とするケーブルタイ。
【請求項２】
請求項１のケーブルタイにおいて、
第二の部分が、ストラップ挿入通路の軸線に沿った全長を有し、第一の部分が、第二の部分の全長よりも短い長さを有する底部壁（１２６）により形成され、ストラップ挿入通路の入口に隣接する底部壁（１２６）の端面（１２６Ａ）が第二の部分の相応する端面から引込むようにし、ストラップ挿入通路（１２２）の有効開口部高さを増してより大きい入口角度範囲に亙ってストラップが入ることを許容するようにした、ケーブルタイ。
【請求項３】
請求項２のケーブルタイにおいて、
引込み程度が少なくともストラップ（１０４）の厚さである、ケーブルタイ。
【請求項４】
請求項１のケーブルタイにおいて、
係止装置（１３６）が金属製係止装置である、ケーブルタイ。
【請求項５】
請求項４のケーブルタイにおいて、
固定端部（１３４）を第二の部分の内壁（１２４）の取り付けスロット（１３０）内に取り付け、自由端部（１３８）がストラップ挿入通路（１２２）内に配置されるようにすることにより、金属製係止装置（１３６）が係止装置のキャビティ（１８０）内に取り付けられる、ケーブルタイ。
【請求項６】
請求項４のケーブルタイにおいて、
金属製係止装置（１３６）が、固定端部（１３４）がストラップ挿入通路の軸線に対し実質的に平行に方向決めされる曲がった金属製係止装置である、ケーブルタイ。
【請求項７】
ケーブルタイの製造方法であって、
第一の端部と、自由端部（１１２）とを備えるケーブルタイストラップ（１０４）を成形するステップと、
ストラップ（１０４）の第一の端部に固着された係止ヘッド（１０２）であって、ストラップ挿入通路の軸線に沿って整合されたストラップの入口端部及びストラップの出口端部（１６６）を有するストラップ挿入通路（１２２）を含み、ストラップ挿入通路（１２２）が係止ヘッド（１０２）を第一の部分及び第二の部分に分割する前記係止ヘッドを成形し、係止ヘッドの第一の部分がストラップの取り付け軸線に沿ってストラップの第一の端部に固着され、係止ヘッド（１０２）が、係止ヘッド（１０２）のストラップの出口端部（１６６）に隣接し且つ該出口端部に向けて開放した第二の部分に配置された係止装置の挿入キャビティ（１８０）を更に含むようにするステップと、
固定可能な端部と、固定端部に対して所定の鋭角な角度で角度が付けられた自由端部とを有する係止装置を形成するステップと、
係止装置の自由端部がストラップ挿入通路内に伸びるように係止ヘッドの第二の部分の係止装置の挿入キャビティ（１８０）内に係止装置（１３６）を提供するステップとを備える製造方法において、
ストラップの第一の端部は、不使用状態にて実質的に直角の曲げ部分を有し、ストラップの取り付け軸線がストラップ挿入通路の軸線に対し実質的に平行であり、係止装置の固定端部がストラップ挿入通路に対し実質的に平行となるように方向決めされ、
ストラップ挿入通路の軸線に対し実質的に平行な、係止ヘッド（１０２）の第二の部分の表面（１４６）には上方に伸びる突起が存在せず、第一の部分がストラップの厚さ以下若しくは同じ厚さを有する、ことを特徴とするケーブルタイの製造方法。
【発明の詳細な説明】
【０００１】
【発明の属する技術分野】
本発明は、全体として、曲がったケーブルストラップを有する低プロフィールのケーブルタイに関する。より具体的には、本発明は、ケーブルタイヘッド内の横方向ストラップ挿入通路と、予め曲げて取り付けられた直角のストラップとを有する２部分型ケーブルタイに関する。
【０００２】
【従来の技術】
ブラスチックケーブルタイ、特に、金属製係止装置の挿入体を有するプラスチックケーブルタイが当該技術分野にて周知である。その例は、マリアニの米国特許第３，４５７，５９８号、及びバーナード等の米国特許第５，５１７，７２７号を含む。
【０００３】
２部分型ケーブルタイと称される、この型式のケーブルタイは、図９及び図１０に図示され且つケーブルタイヘッド９３０のストラップを受け入れる通路９２０内にある角度にて部分的に固着された金属製係止装置９１０を備えている。金属製係止装置９１０は、ケーブルタイストラップ９４０を挿入方向に向けて挿入することを許容するが、外し方向に引張ったとき、係止装置９１０がストラップと係合して外れるのを防止することを許容する角度に配置されている。かかる従来のケーブルタイの金属製係止装置は、一端部にて固定され且つ自由端部にてストラップ受け入れ通路内に伸びる片持ち梁の形態をしている。
【０００４】
【発明が解決しようとする課題】
図１０に図示するように、これらの従来の２部分型ケーブルタイはヘッドの長手方向軸線に対し垂直なストラップ挿入通路を有している。すなわち、該通路は図示するようにケーブルタイヘッドの頂部面から出る。かかる設計において、金属製係止装置を挿入することを可能にするために必要なケーブルヘッドの頂部面の大きい開放空間のため、すっきりした外観にならない。また、ケーブル束９５０を結束するとき、ケーブルタイのヘッドがケーブル束の周縁を超えて過度に遠くまで（すなわち、図１０に図示するようにケーブル束の左方向及び上方に）伸びるから、従来の２部分型ケーブルタイはその他のケーブル束又は物品と干渉する可能性がある。
【０００５】
低プロフィールの改良された２部分型ケーブルタイが必要とされている。
すっきりとした審美的な外観を有するケーブルタイが更に必要とされている。タイに対する空間の制約を最小限にし得るように取り付け寸法を縮小することのできる２部分型ケーブルタイが更に必要とされている。すなわち、ケーブル束に取り付けたとき、高さ及び幅を縮小させることが実現可能である。
【０００６】
本発明の１つの目的は、ストラップの横方向受け入れ通路を有する低プロフィールの係止ヘッドと、予め曲げた直角のストラップとを有する２部分型ケーブルタイを提供することである。
【０００７】
本発明の別の目的は、開口部及び平滑な横方向開口部が存在しない頂部面を含むすっきりとした外観を有する２部分型ケーブルタイを提供することである。
本発明の更なる目的は、ケーブル束に対し正接状態で伸び且つ取り付けたときケーブル束により近接するストラップ挿入通路を有する２部分型ケーブルタイを提供することである。
【０００８】
本発明の更に別の目的は、横方向ストラップ挿入通路を有する低プロフィールの係止ヘッドと、予め曲げて該係止ヘッドに取り付けられた直角のストラップとを有する２部分型ケーブルタイを提供することである。
【０００９】
本発明の更に別の目的は、より大きい角度範囲に亙ってストラップ端部の挿入を受け入れ且つ使用中、ケーブルタイの全体的な寸法を最小にし得るようにケーブルの幅を受け入れることができる入口通路を有する一方、ヘッドの長手方向軸線に対し平行なストラップ挿入通路を有するケーブルタイを提供することである。
【００１０】
【課題を解決するための手段】
所定の厚さを有して、直角の曲げ部分を備えるように成形された第一の端部及び自由端部を含むストラップと、係止ヘッドであって、該ヘッドに形成されて、係止ヘッドを第一の部分及び第二の部分に分割するストラップ挿入通路を含み、ストラップ挿入通路がストラップ挿入通路の軸線の両端におけるストラップの入口端部及びストラップの出口端部を有し、係止ヘッドの第一の部分がストラップ挿入通路の軸線と実質的に平行なストラップの取り付け軸線に沿ってストラップの第一の端部に固着され、該係止ヘッドのストラップの出口端部に隣接し且つ該出口端部に向けて開放した第二の部分の配置された係止装置の挿入キャビティを更に含む上記係止ヘッドと、係止装置の挿入キャビティ内に取り付けられた係止装置であって、ストラップ挿入通路の軸線に対し鋭角な角度とされ且つストラップ挿入通路内に伸びる自由端部を有する、上記係止装置とを備える、低プロフィールのケーブルタイにより上記の１つ又はより多くの目的並びにその他の目的が実現される。係止ヘッドの頂部面は、係止装置にすぐ隣接して設けられ、また係止装置の上方に伸びる厚さを有し、この厚さはストラップの厚さ以下であり、また、第一の部分はストラップの厚さ以下の厚さを有する。係止装置は金属製係止装置であることが好ましい。
【００１１】
所定の厚さを有して、第一の端部及び自由端部を含むストラップと、係止ヘッドであって、該ヘッドに形成されて、係止ヘッドを第一の部分及び第二の部分に分割するストラップ挿入通路を有し、ストラップ挿入通路がストラップ挿入通路の軸線の両端におけるストラップの入口端部及びストラップの出口端部を有し、係止ヘッドの第一の部分がストラップ挿入通路の軸線に対し実質的に平行なストラップの取り付け軸線に沿ってストラップの第一の端部に固着され、係止ヘッドのストラップ出口端部に隣接し且つ該出口端部に向けて開口した第二の部分に配置された係止装置の挿入キャビティを更に含む上記係止ヘッドと、係止装置の挿入キャビティ内に取り付けられた金属製係止装置であって、固定端部を第二の部分の内壁の取り付けスロット内に取り付け係止装置のキャビティ内に取り付け、固定端部がストラップ挿入通路の軸線に対し実質的に平行に方向決めされるようにすることにより、取り付け係止装置のキャビティ内に取り付けられた上記金属係止装置とを備え、該金属製係止装置がストラップ挿入通路の軸線に対し鋭角な角度にて角度が付けられ且つストラップ挿入通路内に伸びる曲がった自由端部を更に備える、低プロフィールのケーブルタイにより本発明の上記の目的の１つ又はより多数並びにその他の目的を実現することができる。係止装置は、金属製係止装置であることが好ましい。
【００１２】
所定の厚さを有するケーブルタイストラップであって、不使用状態にて実質的に直角の曲がり部分を有する第一の端部と、自由端部とを有する上記ストラップを成形するステップと、ストラップの第一の端部に固着された係止ヘッドであって、ストラップ挿入通路の軸線と整合されたストラップの入口端部及びストラップの出口端部を有するストラップ挿入通路を備える上記係止ヘッドを形成し、ストラップ挿入通路が係止ヘッドを第一の部分及び第二の部分に分割し、係止ヘッドの第一の部分がストラップ挿入通路の軸線に対し実質的に平行なストラップの取り付け軸線に沿ってストラップの第一の端部に固着され、係止ヘッドが、係止ヘッドのストラップ出口端部に隣接し且つ該出口端部に向けて開口した係止ヘッドの第二の部分内に配置された係止装置の挿入キャビティを更に含むようにするステップと、固定可能な端部と、該固定端部に対し所定の鋭角な角度にて角度が付けられた自由端部とを有する係止装置を形成するステップと、係止装置の自由端部がストラップ挿入通路内に伸び、固定可能な端部が第二の部分に強固に固定されるように係止ヘッドの第二の部分の係止装置の挿入キャビティ内に係止装置を提供するステップとを備える、低プロフィールのケーブルタイの製造方法によって上記の目的の１つ又はより多数並びにその他の目的を更に実現することができる。
【００１３】
【発明の実施の形態】
図１乃至図８を参照しつつ、本発明のケーブルタイ１００について説明する。ケーブルタイ１００は係止ヘッド１０２と、ストラップ１０４とを有している。ケーブルタイ１００は当該技術分野で既知の色々な材料から製造することができる。適宜な材料は、一例として、ナイロン、ポリプロピレン及び色々なフルオロポリマーを含む。ケーブルタイ１００は、当該技術分野にて同様に既知であるように、特定の適用例に合うように色々な寸法及び長さにて形成することができる。勿論、ストラップ、係止ヘッド及びその他の構成部品の寸法を選ぶとき、所望の曲げ引張り強度が決定するための１つのファクタとなる。
【００１４】
係止ヘッド１０２は、ストラップ挿入通路１２２と、係止装置の挿入キャビティ１８０とを備えており、その双方は係止ヘッド１０２の長手方向軸線Ｐに対し実質的に平行に伸びている。ストラップ挿入通路１２２がストラップ１０４を受け入れ得るように設けられており、また該通路は、ストラップ１０４が最初に挿入されるストラップの入口端部１６８と、ストラップ１０４が出るストラップの出口端部１６６（図３参照）とを備えている。ストラップの入口及び出口は軸線Ｐに沿って方向決めされている。図３及び図４に最も良く図示するように、ストラップ挿入通路１２２は端部壁１２４、底部壁（外壁）１２６、側壁１２８により形成される。ストラップ挿入通路１２２はストラップ１０４を受け入れるのに十分な所定の幅を有し、また、該通路１２２には、底部壁１２６から突き出す棚状突起１１６を含む支持ガイド１１４を設けることができる。図８に最も良く図示するように、ストラップ挿入通路１２２の領域内で底部壁１２６の前縁１２６Ａは引込み距離Ｉだけ係止ヘッド１０２の全長Ｌから引込んでいる。従って、底部壁１２６は長さＬ−Ｉを有する。引込み距離Ｉはストラップ１０４の厚さＴを上回ることが好ましい。かかる構造の有利な点は、ケーブルタイの作用を説明するとき以下に述べる。
【００１５】
図１を再度参照すると、ストラップ１０４は軸線Ｐに対し略直角に係止ヘッド１０２の下方隅部に固定状態に取り付けられ且つ該下方隅部に極く近接して曲げられた第一の端部を有する。すなわち、第一の端部には直角の曲げ部分が形成されており、この曲げ部分は静的な不使用状態に実質的に保持される。ストラップ１０４は所定の厚さを有しており、ストラップ１０４の角度を付け且つテーパーを付けた第二の自由端部１１２の外面上に標準的な把持リッジ１０８（図３参照）を有することが更に好ましい。ストラップ１０４には、図１及び図２に図示するように長手方向に伸びる中央溝１１０を内面に設けることができる。中央溝１１０は、図１及び図２に最も良く図示するように、第一の曲げ端部付近でＶ字形溝１２０を提供する等により拡張した幅を有することができる。
【００１６】
図３に最も良く図示するように、ストラップ挿入通路１１２は、係止ヘッド１０２をストラップ１０４の第一の端部に取り付けられる比較的薄い第一の部分（通路１２２の右側に図示）と、係止装置の挿入キャビティ１８０を保持する第二の部分（通路１２２の左側に図示）とに分割し、このキャビティは係止装置１３６を受け入れる。キャビティ１８０は、係止ヘッドのストラップの出口端部１６６に隣接し且つ該出口端部に向けて開口し、係止装置１３６を端部壁１２４の取り付けスロット１３０内に部分的に固着すべくアクセスすることを許容し、固定端部１３４と、ストラップの挿入キャビティ１２２内に伸びる自由端部１３８とを有する片持ち状梁構造体を画成する。また、係止装置の挿入キャビティ１８０は、使用中、係止装置１３６が移動することも許容する。取り付けスロット１３０は、キャビティ１８０の内面に予め形成し又は端部１３４を端部壁１２４の表面に押し込む結果として形成することができる。取り付けスロット１３０と内壁部分１４２との間に開口部１３２を設けることができる。
【００１７】
この構造は、幾つかの個別的な特徴により低プロフィールのケーブルタイを実現するのに有用である。第一に、ストラップ挿入通路１２２を図示するように方向決めすることにより、結束されるケーブルタイ束に対し正接する位置に通路を配置することができる。更に、第二の部分に係止装置が設けられるため、第一の部分（底部壁１２６を有する）をより薄く形成することができる。このことは、ストラップ挿入通路１２２を通じて挿入されたとき、ストラップをケーブル束により近接させることを許容する。構造上の堅固さを得るため、幾分かの最小程度の厚さは必要とされるが、底部壁１２６をストラップ１０４（図８にて厚さＴ）の厚さと同一の厚さ又はより薄く形成することも可能である。プロフィールを更に最小にするため、ケーブルタイヘッドの頂部を形成する係止装置１３６の上方の頂部外面１４６は薄く形成し且つ上方に伸びる突起が存在しないようにすることが好ましい。この面は、同様にストラップ１０４の厚さよりも薄くすることができる厚さだけ係止装置の上方に伸びるようにすることができる。ストラップの特別な寸法は適用例に応じて変更可能である。係止装置１３６が金属製係止装置であるとき、ストラップ挿入通路に対し実質的に平行な固定部分１３４を有する、図３に図示したような曲がった係止装置を提供することにより、図９及び図１０に図示した従来の２部分型設計のものよりもプロフィールを更に縮小させることができる。このことは、係止装置の挿入キャビティ１８０の必要な高さを最小にし、これによりケーブルタイヘッドの全体的な高さを低くするのに役立つ。更に、頂部面を平滑にし且つ上方に伸びる開口部が存在しないように形成することにより、ケーブルタイが隣接するワイヤー又はケーブルタイ上方で弛んだり、これらを磨耗させ又はこれらと干渉する可能性が少ない。このことは、図示するように端縁に丸味を付けることで更に促進することができる。
【００１８】
係止装置１３６は、当該技術分野で既知であるように、ステンレス鋼のような耐食性金属で製造されることが好ましい。係止装置１３６は従来の直線状の形態とすることができるが、自由端部１３８（取り付けた端部）が固定端部１３４に対して所定の角度となるように曲げ又は形成することが好ましい。このことは、ケーブルヘッドの高さを低くし、これにより、より低プロフィールのヘッドを実現することを許容する。更に予め曲げた係止装置１３６を提供することにより、キャビティ１８０内への係止装置１３６をより容易に挿入することができる。それらの何れの場合にも、自由端部１３８はストラップの出口端部１６６の方を向いたストラップ挿入通路１２２の軸線に対し鋭角な角度でストラップ挿入通路内に伸び、係止ヘッド１０２の第二の部分に係止装置１３６が設けられている。
【００１９】
不使用の間、片持ち状の金属製係止装置１３６は内壁１４２の上方端縁により画成された支点に隣接する位置に配置される。金属製係止装置１３６は、支点から自由端部１３８まで画成された自由長さを有しており、この自由長さは、ストラップ１０４に十分に係合し且つストラップが通路から引出されるのを防止する距離だけ自由端部１３８が通路１２２内に伸びるのを許容する。
【００２０】
１つ又はより多数のケーブル１７０を結束し又は巻くために本発明のケーブルタイを使用することについて、図５乃至図７に関して説明する。図５には、ストラップ１０４の前端部１１２をストラップ挿入通路１２２の前端部１６８内に最初に挿入する状態が図示されている。底部壁１２６の端面１２６Ａを距離Ｉ（図８に最も良く図示）だけ引込めてあるため、ストラップ１０４の前端部１１２を広範囲の入口角度にて挿入することができる。このことは、前端部１１２を通路１２２内でより容易に位置決めすることを促進する。更に図５に最右側ストラップにより示すように、軸線Ｐに対し急峻な角度にてストラップ１０４を挿入した時、内壁１２４の張出し部分は前端部１１２を確実に受け入れ且つ通路１２２内に案内する。このことは、ケーブルタイが確実に機能することに更に役立つ。
【００２１】
図５に図示した状態から図６に図示した状態まで挿入を続け、この場合、ストラップ１０４は金属製係止装置１３６を通り、金属製係止装置１３６はストラップが外れるのを阻止し得るようにストラップ内に食い込む。この時点にて、ケーブルタイ１００はケーブル束１７０のような拘束すべき物品の周りに十分に緊張した状態にある。ストラップ１０４は、図示するように、中央溝１１０を支持ガイド１１４の周りで合わせることにより、ストラップ挿入通路１２２内で自動整合することができる。この例の場合、係止ヘッド１０２の出口端部１６８を超えて伸びる前端部１１２の部分は切欠き且つ除去した状態で図示されている。しかし、前端部が保持されるようにしてもよい。
【００２２】
この引込み部Ｉを提供することにより、係止ヘッド１０２の全体の高さを増すことなく又は通路の残りの厚さ又は高さをストラップ１０４の厚さよりも顕著に増大させることなく、通路入口１６８の有効高さ又は厚さを増すことができる。このことは、全体的に低プロフィールのヘッドの設計を実現するのに役立つ。
【００２３】
係止装置１３６を係止ヘッドの頂側部（ストラップ１０４に固着される第一の部分と反対側の係止ヘッドの第二の部分）上に配置することにより、ストラップ挿入通路１２２を束により近い位置に配置することができる。更に、曲がった係止装置を使用することにより、係止ヘッドの第二の部分の高さを低くすることができ、このことは低プロフィールのケーブルタイの設計を実現することに更に役立つ。
【００２４】
大きいケーブル１７０の束を受け入れることができるが、本発明のケーブルタイ１００はまた、極めて小さい束又は１本のケーブル１７０さえも受け入れることもできる。これは、１本のケーブル１７０がケーブルタイ１００により拘束される例にて、図７に図示されている。ストラップ１００の曲がった第一の端部のため、曲がり部にて撓みを生じ、ストラップは大きいケーブル束を受け入れ得るように拡張し（図６のように）又は小さいケーブル１７０に正確に順応することができる（図７のように）。更に、引込み距離Ｉ及び低プロフィールのヘッド１０２を提供することにより、ストラップの自由端部１１２をケーブル１７０に正確に適合するように挿入することができる。使用中、極めて小さいケーブルの束をストラップ巻きする間、ストラップがストラップ挿入通路の軸線に沿って測定したケーブルタイの係止ヘッド１０２の全長を超えて外方に突き出さないようにするため、引込み距離Ｉはストラップ１０４の厚さに等しくし又はそれ以上であるようにすることが好ましい。このことは、使用中、図９に図示するような従来の２部分型ケーブルタイと比較して、最小の周縁プロフィールを実現するケーブルタイ構造体を達成することになる。すなわち、曲がったストラップ端部、引込み距離Ｉ、及びストラップ挿入通路の方向のため、ケーブルタイ１００がケーブルの周縁（幅）を遥かに超えて伸びることはなく、また、ストラップ挿入通路の方向と、係止ヘッドの薄い最初の部分及び曲がった金属製係止装置の色々な組合わせにより実現される、低プロフィールのヘッドの設計のため、ケーブル１００がケーブルの周縁（高さ）を超えて大きく伸びることはない。
【００２５】
上記に概説した特定の実施の形態に関して本発明のシステムを説明したが、当該技術分野の当業者には多くの代替例、改変例及び変更が可能であることが明らかである。従って、これらの一例としての実施の形態は、説明のためであり、非限定的であることを意図するものである。本発明の精神及び範囲から逸脱せずに色々な変更を加えることができる。
【図面の簡単な説明】
【図１】本発明によるケーブルタイの底部斜視図である。
【図２】本発明によるケーブルタイの底面図である。
【図３】線３−３に沿った図２のケーブルタイの断面図である。
【図４】線４−４に沿った図３のケーブルタイの係止ヘッドの断面図である。
【図５】ストラップをストラップ挿入通路内に最初に供給する状態を示すケーブルタイの断面図である。
【図６】ストラップを完全に挿入し且つケーブル束の周りの所要位置に係止した後の図５のケーブルタイの断面図である。
【図７】ストラップを完全に挿入し且つ１本のケーブルの周りの所要位置に係止した後の図５のケーブルタイの断面図である。
【図８】ストラップの入口の詳細をより明確に示す図１のケーブルタイの部分断面図である。
【図９】従来の２部分型ケーブルタイの側面図である。
【図１０】多数のケーブルの周りの所要位置に係止された従来の２部分型ケーブルタイの断面図である。
【符号の説明】
１００  ケーブルタイ              １０２  係止ヘッド
１０４  ストラップ                １０８  把持リッジ
１１０  中央溝                    １１２  ストラップの前端部
１１４  支持ガイド                １１６  棚状突起
１２０  Ｖ字形溝                  １２２  ストラップ挿入通路
１２４  端部壁                    １２６  底部壁（外壁）
１２６Ａ  底部壁の前縁            １２８  側壁
１３０  取り付けスロット          １３２  開口部
１３４  固定端部                  １３６  係止装置
１３８  自由端部                  １４２  内壁部分
１４４  本文に無し                １４６  頂部外面
１６６  ストラップの出口端部
１６８  ストラップの入口端部／ストラップ挿入通路の前端部／通路入口
１７０  ケーブル束
１８０  金属製係止装置の挿入キャビティ
９１０  係止装置                  ９２０  ストラップ挿入通路
９３０  ケーブルタイヘッド        ９４０  ケーブルタイストラップ
９５０  ケーブル束                Ｉ  引込み距離
Ｔ  ストラップの厚さ              Ｌ−Ｉ  底部壁の長さ
【図１】
0004119682.tif 000002
【図２】
0004119682.tif 000003
【図３】
0004119682.tif 000004
【図４】
0004119682.tif 000005
【図５】
0004119682.tif 000006
【図６】
0004119682.tif 000007
【図７】
0004119682.tif 000008
【図８】
0004119682.tif 000009
【図９】
0004119682.tif 000010
【図１０】
0004119682.tif 000011